(57)【要約】【課題】被装飾物品から落下することがなく常時装飾効果を発揮することができ、装飾材に発光体を用いると夜間における装飾効果を大きくすることができ、更に事故や犯罪の防止を図ることができる装飾具を提供すること。【解決手段】少なくともハイヒール靴８のヒール９が挿通可能な大きさの貫通孔部２を有する基体３と、当該基体３の前記ヒール９の外側部分の領域に装飾材６を固定する固定材４とを備えている装飾部材５と、前記装飾材６を固定された前記装飾部材５を被装飾物品に取り付ける取り付け部材７とを有することを特徴とする。【選択図】図４
0003204999.tif 000002
【実用新案登録請求の範囲】
【請求項１】
少なくともハイヒール靴のヒールが挿通可能な大きさの貫通孔部を有する基体と、当該基体の前記ヒールの外側部分の領域に装飾材を固定する固定材とを備えている装飾部材と、
前記装飾材を固定された前記装飾部材を被装飾物品に取り付ける取り付け部材とを有する
ことを特徴とする装飾具。
【請求項２】
前記基体は環状の薄板状に形成されており、前記固定材は前記基体の前記貫通孔部の内周縁から径方向内側に延出されているとともに径方向外側に折り曲げ自在に形成されており、
前記取り付け部材は屈曲自在な帯状の薄板状に形成されているとともに、前記基体と別体もしくは同体に形成されている
ことを特徴とする請求項１に記載の装飾具。
【請求項３】
前記固定材は複数個形成されており、
前記取り付け部材は帯状の幅方向端部の少なくとも一部を切除自在に形成されている
ことを特徴とする請求項２に記載の装飾具。
【請求項４】
前記装飾部材は環状の発光体からなる
ことを特徴とする請求項１から請求項３のいずれか１項に記載の装飾具。
【考案の詳細な説明】
【技術分野】
【０００１】
本考案は、装飾具に係り、発光体からなる装飾部材を被装飾物品に取り付けて装飾するのに好適な装飾具に関する。
【背景技術】
【０００２】
一般に、女性用のハイヒール靴は華やかな場面で使用されるものであるため、その色や質感等において全体として派手なものが多いが、更に目を惹くための工夫も種々考案されている。
【０００３】
例えば、特許文献１には、ヒールに光源を内蔵し、後方に向けて発光するようにしたハイヒール靴が開示されている。
【０００４】
しかし、この従来のハイヒール靴においては、靴そのものに細工や加工を施すものであるため、靴の価格が高くなったり、装飾の種類を変えるためには複数種の靴を用意しておかねばならなかった。
【０００５】
これを解決するために、装飾をハイヒール靴のヒールに着脱自在に取り付ける装飾が提案されている（例えば、特許文献２）。
【先行技術文献】
【特許文献】
【０００６】
【特許文献１】特開平１０−１２７３０７号公報
【特許文献２】実用新案登録第３１２３８０７号公報
【考案の概要】
【考案が解決しようとする課題】
【０００７】
ところが、特許文献２に記載の装飾においては、ヒールに直接巻き付けて取り付ける構造であるために、歩いている途中に装飾が緩んで落下するという不都合が有った。
【０００８】
本考案はこれらの点に鑑みてなされたものであり、被装飾物品から落下することがなく常時装飾効果を発揮することができ、装飾材に発光体を用いると夜間における装飾効果を大きくすることができ、更に事故や犯罪の防止を図ることができる装飾具を提供することを目的とする。
【課題を解決するための手段】
【０００９】
前記の課題を解決するために、本考案の第１の装飾具は、少なくともハイヒール靴のヒールが挿通可能な大きさの貫通孔部を有する基体と、当該基体の前記ヒールの外側部分の領域に装飾材を固定する固定材とを備えている装飾部材と、前記装飾材を固定された前記装飾部材を被装飾物品に取り付ける取り付け部材とを有する  ことを特徴とする。
【００１０】
このように本考案の装飾具は構成されているので、被装飾物品から落下することがなく常時装飾効果を発揮することができ、装飾材に発光体を用いると夜間における装飾効果を大きくすることができ、更に事故や犯罪の防止を図ることができる。
【００１１】
また、本考案の第２の形態の装飾具は、第１の形態の装飾具において、前記基体は環状の薄板状に形成されており、前記固定材は前記基体の前記貫通孔部の内周縁から径方向内側に延出されているとともに径方向外側に折り曲げ自在に形成されており、前記取り付け部材は屈曲自在な帯状の薄板状に形成されているとともに、前記基体と別体もしくは同体に形成されていることを特徴とする。
【００１２】
このように本考案の装飾具は構成されているので、基体と取り付け部材が薄膜状に形成されているので、軽くて取り扱いやすく、種々の被装飾物品に容易に取り付けて優れた装飾を施すことができる等の優れた作用効果を発揮することができる。
【００１３】
また、本考案の第３の形態の装飾具は、第２の形態の装飾具において、前記固定材は複数個形成されており、前記取り付け部材は帯状の幅方向端部の少なくとも一部を切除自在に形成されていることを特徴とする。
【００１４】
このように本考案の装飾具は構成されているので、帯状の取り付け部材の幅を使用目的に応じて変更することができる。
【００１５】
また、本考案の第４の形態の装飾具は、第１から第３のいずれかの形態の装飾具において、前記装飾部材は環状の発光体からなることを特徴とする。
【００１６】
このように本考案の装飾具は構成されているので、装飾材に発光体を用ているので、夜間における装飾効果を大きくすることができ、更に事故や犯罪の防止を図ることができる。
【考案の効果】
【００１７】
本考案はこのように形成されるので、被装飾物品から落下することがなく常時装飾効果を発揮することができ、装飾材に発光体を用いると夜間における装飾効果を大きくすることができ、更に事故や犯罪の防止を図ることができるという優れた効果を発揮することができる。
【図面の簡単な説明】
【００１８】
【図１】本考案の装飾具の第１実施形態を示す平面図
【図２】図１に示す装飾具の組立状態を示す半断正面図
【図３】図２に示す装身具の斜視図
【図４】図１に示す装飾具をハイヒール靴に装着した状態を示す断面図
【図５】本考案の装飾具の第２実施形態を示す平面図
【図６】図２に示す装身具の使用状態を示す一部の平面図
【考案を実施するための形態】
【００１９】
以下、本考案の装飾具を図１から図６により説明する。
【００２０】
＜第１実施形態＞
図１から図４は本考案の装飾具の第１実施形態を示している。
【００２１】
本実施形態の装飾具１は、少なくともハイヒール靴８（図４参照）のヒール９が挿通可能な大きさの貫通孔部２を有する基体３と、当該基体３のヒールの外側部分の領域に装飾材６を固定する固定材４とを備えている装飾部材５と、装飾材６を固定された装飾部材５を被装飾物品に取り付ける取り付け部材７とを有している。
【００２２】
本第１実施形態においては、装飾部材５と取り付け部材７とがアルミ薄板、銅薄板等の金属製の薄板によって同体状に形成されている。そして、基体３は環状の薄板状に形成されており、更に固定材４は基体３の貫通孔部２の内周縁の周方向６等分位置から径方向内側に延出されているとともに径方向外側に折り曲げ自在に形成されており、取り付け部材７は屈曲自在な帯状の薄板状に形成されている。固定材４の本数は装飾材６を固定できる本数とするとよく、その形状も必要に応じて変形するとよい。例えば、図１に示す略山形状の固定材４を桜の花びらやパンジー花びらの形状等の装飾できる形状にしてもよい。更に、修飾具１の全体の色を複数色（例えば、紅白、白黒、オリンピックカラー、虹色等）用意して、ハイヒール靴８をはじめとする被装飾物品の色に応じて選択できるようにするとよい。また、環状の基体３部分には必要に応じて小さな透孔を形成してもよい。
【００２３】
装飾部材５への装飾材６としての環状の発光体を取り付けるには、図１に示す装飾具の固定材４の部分に装飾材６を載置し、次に６本の固定材４を径方向外側に折り曲げて、図２および図３に示すように、折り曲げた各固定材４と環状の基体３とによって環状の発光体６を挟んで固定する。これにより極めて簡単な組立操作によって発光体６を装飾部材５に取り付けることができる。
【００２４】
このようにして組み立てられた装飾具１を被装飾物品に取り付けるには、帯状の取り付け部材７を用いて、行うとよい。
【００２５】
図４は装飾具１をハイヒール靴８のヒール９に取り付けたものである。
【００２６】
具体的には、図２および図３の状態の装飾具１の貫通孔部２を装飾材６の発光体を上向きにした状態でヒール９の根本まで挿入し、次に取り付け部材７をハイヒール靴８の踵１０の上部を通して靴内部１１まで折り曲げることにより装飾具１をハイヒール靴８に取り付ける。
【００２７】
このようにして装飾具１が取り付けられているハイヒール靴８を足１２に履くと、取り付け部材７が足１２と靴底とに挟まれて、装飾具１がハイヒール靴８から離脱することが完璧に防止される。
【００２８】
そして、ハイヒール靴８のヒール９に装飾具１が取り付けられているために、ハイヒール靴８が優雅に装飾され、夜間においては発光体６が種々の色に点灯したり、点滅することによる晴れやかで、かつ、幻想的な装飾効果が発揮され、更に、事故や犯罪の発生を未然に防ぐという防犯効果も発揮される。環状の発光体６を基体３からハイヒール靴８まで伸びている取り付け部材７に挿通して取り付けてもよい。
【００２９】
図２〜図４においては、１個の発光体６を取り付けているが、６個の固定材４の半数ずつを基体３に対して上下逆方向に折り曲げて基体３の上下の両面にそれぞれ発光体６を取り付けてもよい。
【００３０】
更に、複数の装飾具１をヒール９に取り付けてもよい。
【００３１】
また、カバンやランドセル等に帯状の取り付け部材７をくるくると巻き付けて装着する等のように他の被装飾物品に取り付けて利用してもよい。また、自分の手や腕に取り付け部材７を巻き付けて装飾具１を装着してファッション的に用いてもよい。勿論、取り付け部材７を巻かないで、当該取り付け部材７を固定バンド等の公知の方法によって取り付けるようにしてもよい。
【００３２】
図５および図６は本考案の装飾具の第２実施形態を示す。
【００３３】
第１実施形態と同一部分には同一符号を付してある。
【００３４】
第２実施形態の装飾具１ａにおいては、板状の装飾部材５と取り付け部材７とを別体に形成すると共に両者を連結できるようにしたものである。
【００３５】
具体的には、４個の固定材４を備えた環状の装飾部材５の基体３の一部に連結用の小さい透孔１３を開設し、帯状の取り付け部材７の先端部に当該透孔１３に挿通して折り曲げ可能な舌片１４を延出形成したものである。この場合には、１個の取り付け部材７を用意すると、複数の装飾部材５に共通に取り替えて組み立てて利用することができる利点がある。
【００３６】
また、取り付け部材７には破線で示す切り込みステッチ１５を予め形成しておいて、必要に応じて切り込みステッチ１５に沿って切除して取り付け部材７の帯の幅を狭くして、被装飾物品への取り付け時の巻き込み具合を調整するとよい。
【００３７】
更に、本第２実施形態においては、図６に示すように、装飾具１ａの装飾効果を高くするために、装飾部材５の貫通孔部２にも円板状の装飾材１６を嵌め合わせ等の公知の固定方法を用いて装着している。これにより２種類の装飾材６、１６の組合せによる装飾を施すことができる。
【００３８】
なお、本考案は前記各実施形態に限定されるものではなく、必要に応じて変更することができるものである。
【００３９】
例えば、固定材４としては基体３と別体のクリップなどを基体３に固着して用いてもよい。
【符号の説明】
【００４０】
１、１ａ  装飾具
２  貫通孔部
３  基体
４  固定材
５  装飾部材
６、１６  装飾材
７  取り付け部材
８  ハイヒール靴
【図１】
0003204999.tif 000003
【図２】
0003204999.tif 000004
【図３】
0003204999.tif 000005
【図４】
0003204999.tif 000006
【図５】
0003204999.tif 000007
【図６】
0003204999.tif 000008